(57)【要約】【課題】照明の方向を変えるための回動動作を妨げない構成の照明器具を提供する。【解決手段】光源１１ａおよび光源を制御する制御部を設けた灯具１１と；灯具を支持する口金部１２、口金部に一端部が接続され屈曲可能な支柱部１３、支柱部の他端部に接続され、被設置部に対し回動可能に支持される固定部１４を有し、口金部、支柱部および固定部が略線状をなすように形成されたアーム１５と；を具備する照明器具１０を構成する。【選択図】        図１
2009146638.tif 000002
【特許請求の範囲】
【請求項１】
光源および光源を制御する制御部を設けた灯具と；
灯具を支持する口金部、口金部に一端部が接続され屈曲可能な支柱部、支柱部の他端部に接続され、被設置部に対し回動可能に支持される固定部を有し、口金部、支柱部および固定部が略線状をなすように形成されたアームと；
を具備することを特徴とする照明器具。
【請求項２】
前記アームの支柱部は、フレキシブルチューブで構成したことを特徴とする請求項１記載の照明器具。
【請求項３】
前記アームの口金部、支柱部および固定部は、電線を挿通する中空部を有して構成され、固定部の側面に中空部に連通し電線を挿通するための挿通孔を形成したことを特徴とする請求項１または２記載の照明器具。
【発明の詳細な説明】
【技術分野】
【０００１】
本発明は、照明の高さ、位置等を自在に調整することが可能な照明器具に関する。
【背景技術】
【０００２】
この種の照明器具は、従来、病院における病室や医療福祉施設の療養室等でのベッド灯、さらに勉強机や作業机などの電気スタンドとして用いられている。
【０００３】
これら照明器具の構成は、例えば、特許文献１に示されるように、先端に灯具を連結した上部の支柱と、ベッドなどの固定部に回動可能に固定される固定棒を下端に連結した下部の支柱と、これら上下２本の支柱を関節部で連結し、その屈曲動作と固定棒における回動動作により、照明の高さや方向を自在に調整するようにしている。
【０００４】
さらに、特許文献２には、消費電力の少ない発光ダイオードを光源とした灯具を３６０°回転することができるアームに支持して、光の照射方向を選択できるようにすると共に、アームをフレキシブルチューブで構成して光の照射方向を微調整できるようにしたものが示されている。
【特許文献１】特開２０００−１３８００８号公報
【特許文献２】特開２００４−１４６３１５号公報
【発明の開示】
【発明が解決しようとする課題】
【０００５】
しかしながら、特許文献１に示されるものは、それぞれの連結部分、すなわち、灯具と上部の支柱、上下の支柱同士および下部の支柱と固定棒はそれぞれ関節部を有して連結されており、構造が複雑になると共に、特に下部の支柱と固定棒とを連結するための関節部が支柱から側方に突出し（特許文献１の図１参照）、固定棒を中心にして支柱の回動動作を行う際に、その関節部が一緒に回動することから、ベッド周辺の機材や物に当たり回動が困難になる場合がある。このため、設置場所を変えなければならず、所望の方向への照明がし難くなる問題が生じる。
【０００６】
これは、ベッド灯に限らず、勉強机や作業机などに使用される電気スタンドにおいても、卓上の機材や物に当たる場合があり、同様に設置場所が自由に選べず所望の照明がし難くなる問題がある。
【０００７】
このため、特許文献２に示されるように、屈曲動作を行う支柱部分をフレキシブルチューブで構成し、連結部分の関節部をなくす方法がとられている。しかしながら、特許文献２に示されるものは、フレキシブルチューブの下端と本体は回動せずに固定されているため、光の方向を微調整する機能しか果たすことができず、別途の３６０°回転させるための構成が必要となり構造が複雑になる。
【０００８】
これらの問題を解決するために、近時、図６に示す構成のベッド灯が提案されている。すなわち、図６（ａ）には、先端に灯具が取り付けられたフレキシブルチューブ１の下端部に発光ダイオードの電源部２を設け、電源部の下端に固定棒３を設け、この固定棒をベッド近辺の壁面などに設置したブラケット４に回動できるように支持している。しかし、この構成でも発光ダイオードを点灯制御するため電源部２を収納するケース部分がフレキシブルチューブ１の径より大きいため側方に突出しており、回動動作の妨げになる。
【０００９】
また、図６（ｂ）に示されるように、発光ダイオードの電源部２を灯具５内に収納し、フレキシブルチューブ１の下端部側方に平行して固定棒３´を一体に形成し、この固定棒３´をベッド近辺の壁面などに設置したブラケット４に回動できるように支持して構成している。しかし、固定棒３´の側方にフレキシブルチューブ１の下端部が突出し、回動動作の妨げになっている。特に、固定棒３´とブラケット４の先端部との間隔寸法ｂが大きいと固定棒がブラケットに差し込めず汎用性が低下する問題がある。また、灯具４から導出される電線６をフレキシブルチューブ１の下端部から引き出しているために、引き出された電線６がブラケット４の側方に突出しており回動動作の妨げになる。
【００１０】
このため、この種の照明器具においては、照明の方向を変えるための回動動作に妨げとならず、病室等においての設置場所も自由に選択することが可能な照明器具を如何に実現するかが重要な課題となっている。
【００１１】
本発明は、上述した課題に鑑みなされたもので、照明の方向を変えるための回動動作を妨げない構成の照明器具を提供しようとするものである。
【課題を解決するための手段】
【００１２】
上記の目的を達成するために、請求項１に記載の照明器具の発明は、光源および光源を制御する制御部を設けた灯具と；灯具を支持する口金部、口金部に一端部が接続され屈曲可能な支柱部、支柱部の他端部に接続され、被設置部に対し回動可能に支持される固定部を有し、口金部、支柱部および固定部が略線状をなすように形成されたアームと；を具備することを特徴とする。
【００１３】
本発明によれば、口金部、支柱部および固定部が略線状をなすように形成されたアームにより、照明の方向を変えるための回動動作を妨げない照明器具が構成される。
【００１４】
本発明において、灯具の光源は、消費電力が少なく放射光の指向性が比較的強い発光ダイオードで構成することが好ましいが、クリプトン電球やハロゲン電球等の白熱電球、電球形蛍光ランプやコンパクト形蛍光ランプ等の放電ランプ、さらにはＥＬ素子等で構成した面状光源であってもよい。光源は、目的とする照明を得るために、レンズ、反射鏡、遮光体等を設けてスポット配光をなすようにしてもよい。
【００１５】
また、光源を制御する制御部は、光源が発光ダイオードの場合には、発光ダイオードの電源回路を構成する電源部であっても、また放電ランプの場合には点灯制御するための電子安定器であってもよく、さらに白熱電球の場合には点灯、消灯を行う電源スイッチを構成するスイッチボックス等であっても、さらには、これら光源を調光するための調光制御部等であってもよい。
【００１６】
アームの口金部および固定部は、真鍮等の金属で構成されることが好ましいが、強固な合成樹脂で構成してもよい。また、また、屈曲可能な支柱部は、金属または合成樹脂からなるフレキシブルチューブで構成することが好ましいが、屈曲が可能な複数本のアームで構成しても、アームとフレキシブルチューブを組み合わせて構成してもよく、屈曲が可能な全ての構成の支柱部が許容される。また、口金部、支柱部および固定部は、ネジ結合等の手段で着脱ができるように支持されていても、例えば、カシメや溶接あるいは接着等の手段で固着されるものであってもよい。
【００１７】
アームの口金部、支柱部および固定部が略線状をなすように形成されるが、直線をなすように線状に形成されても、略円弧を描くように線状をなして形成されていてもよい。また、自由に折り曲げが可能なフレキシブルチューブのように、直線から略円弧に変化する線状、または複数の屈曲部を有する曲線状であってもよい。また、口金部、支柱部および固定部の太さが略同様の太さを有して線状をなすように形成されることが好ましいが、一部に太さの異なる部分があってもよく、要は、固定部を中心にしてアームを回動した際に、回動を妨げない範囲で略線状をなして形成されていればよい。
【００１８】
アームの口金部、支柱部および固定部は、電線を挿通する中空部を有して構成し、電線をアームの内部に収納して構成することが好ましいが、ここでは、中空にせずに電線をアームの外側に沿わせて構成するものであってもよい。
【００１９】
被設置部に対して回動可能に支持するとは、例えば、アームの固定部を被設置部に固定されたブラケットを介して回動可能に支持してもよく、固定部が被設置部に対して回動する構成であればよい。ブラケットを介して固定部を支持する場合には、ブラケット側に縦穴を形成して、アームの棒状をなす固定棒を差し込み、３６０°自由に回動ができるように構成しても、または、特定の角度の範囲内で回動ができるようにしてもよい。また、固定部の抜き差しができるようにして着脱が可能な状態で支持しても、着脱ができない状態で支持するようにしてもよい。逆に、ブラケット側に固定棒を形成しアームの固定部に縦穴を形成して、アームの縦穴をブラケットの固定棒に差し込むように構成してもよい。
【００２０】
被設置部とは、ベッド頭部に近い壁面等または机等の卓板などであるが、照明器具が取り付け可能な箇所全てを含むものである。ブラケットを介して固定部を支持する場合、ブラケットは、被設置部であるベッド頭部に近い壁面等に直接取り付けられるものであっても、被設置部である机等の卓板に挟み込み蝶ネジ等で着脱ができるように取り付けるものであってもよい。材質は、真鍮やアルミダイカスト製等の金属で構成されることが好ましいが強固な合成樹脂で構成してもよい。
【００２１】
請求項２に記載の発明は、請求項１記載の照明器具において、前記アームの支柱部は、フレキシブルチューブで構成したことを特徴とする。
【００２２】
請求項３に記載の発明は、請求項１または２記載の照明器具において、前記アームの口金部、支柱部および固定部は、電線を挿通する中空部を有して構成され、固定部の側面に中空部に連通し電線を挿通するための挿通孔を形成したことを特徴とする。
【００２３】
挿通孔は、ブッシュで覆いブッシュの孔から電線を挿通し、挿通孔近辺の外観を向上させるように構成してもよい。
【発明の効果】
【００２４】
請求項１の発明によれば、口金部、支柱部および固定部が略線状をなすように形成されたアームにより、固定部を中心にしてアームを回動した際に、その回動を妨げることが防止され、照明の方向を変えるための回動動作を妨げない照明器具を提供することができる。
【００２５】
請求項２の発明によれば、アームの支柱部は、フレキシブルチューブで構成したので、簡易な構成で、かつ照明の方向を自由に変えることが可能な照明器具を提供することができる。
【００２６】
請求項３の発明によれば、アームの口金部、支柱部および固定部は、電線を挿通する中空部を有して構成され、固定部の側面に中空部に連通し電線を挿通するための挿通孔を形成したので、電線をアーム内に収納することができ、電線が側方に突出する量が少なくなって、アームの回動を妨げることが防止される。さらに電線をアーム内に収納することができるので、安全でかつ外観、意匠的に優れた照明器具を提供することができる。
【発明を実施するための最良の形態】
【００２７】
以下、本発明に係る照明器具の実施形態について説明する。
【実施例１】
【００２８】
本実施例の照明器具は、病院のベッドに設置するためのベッド灯として構成されたもので、以下図１〜図５に従い説明する。
【００２９】
照明器具１０は、灯具１１と、口金部１２、支柱部１３および固定部１４を有するアーム１５で構成し、アームの固定部１４は被設置部Ａに対してブラケット１６により回動可能に支持される。
【００３０】
灯具１１は、光源１１ａおよび光源を制御する制御部１１ｂを収納する本体ケース１１ｃで構成する。光源１１ａは、発光ダイオード（以下「ＬＥＤ」と称す）で、本実施例では同心円状に配置された５個の白色ＬＥＤで構成する。ＬＥＤ１１ａは、レンズ体および反射体により、スポット配光がなされるように構成される。制御部１１ｂは、ＬＥＤ１１ａを点灯制御するための電源回路で構成される。
【００３１】
本体ケース１１ｃは、合成樹脂等からなる一端開放の略円筒状をなし、内部に制御部１１ｂを収納すると共に、開放部分に上記光源をなすＬＥＤ１１ａを配設する。また、閉塞された他端部には、灯具を後述するアーム１５の口金部１２に支持するための雌ネジ部からなる支持部１１ｄを形成する。なお、本体ケースの開放部分は、透明なガラスまたは合成樹脂からなる透光板で閉塞してもよい。
【００３２】
アーム１５は、図２に示すように、灯具１１を支持する口金部１２、口金部に一端部が接続された屈曲可能な支柱部１３、支柱部の他端部に接続された固定部１４からなる。口金部１２は、真鍮製で、断面円形の中空の短いパイプ状をなして形成され、一端部に後述する支柱部１３の一端部を挿入して固着するための固着部１２ａを一体に形成し、他端部には上記灯具１１の雌ネジ部からなる支持部１１ｄにねじ込み固着するための中空の雄ネジ部１２ｂが一体に形成されている。
【００３３】
支柱部１３は、金属からなる屈曲が可能な断面円形のフレキシブルチューブで構成し、一端部が口金部１２の固着部１２ａに挿入されて固着され、他端部が後述する固定部１４に固着される。
【００３４】
固定部１４は、真鍮製で、断面円形の中空部１４ａを有する短いパイプ状をなして形成され、一端部に前記支柱部１３の他端部を挿入して固着するための固着部１４ｂを一体に形成し、他端部には直径を若干細くして形成した固定棒１４ｃを、固定部に一体に連続して形成する。固定部の中空部１４ａは、固定棒１４ｃの上部まで形成され、固定棒の部分は無垢の真鍮棒で構成して強度が強くなるように構成する。固定部１４の側面には、垂直方向に形成された中空部１４ａに対して略直交して連通する挿通孔１４ｄを形成する。図中１４ｅは、固定棒１４ｃの側面に形成された抜け止め用の凹部、１４ｆは、挿通孔１４ｄに嵌め込まれたゴム等の柔軟性を有する部材で形成されたブッシュである。
【００３５】
上記に構成した口金部１２、支柱部１３および固定部１４は、それぞれの固着部１２ａ、１４ｂに支柱部１３の両端部を挿入してカシメや溶接あるいは接着等の手段で一体に固着する。これにより、口金部１２、支柱部１３および固定部１４が、固定部の固定棒１４ｃの直径が若干小径であるが、全体として略同径をなし略直線をなす線状（図２）のアーム１５が構成される（フレキシブルチューブを曲げた場合には略円弧を描いた線状（図１））。
【００３６】
それぞれの固着部１２ａ、１４ｂおよび支柱部１３は、柔軟性を有する不透明なゴム製のチューブ１５ａによって被覆され、フレキシブルチューブからなる支柱部の屈曲段部を覆い外観性を向上させている。
【００３７】
ブラケット１６は、図３に示すように、真鍮製で、ボックス状をなす形状に構成され、上面には鉛直方向の縦穴からなる支持穴１６ａを形成し、この支持穴にアーム１５の固定棒１４ｃを差し込み、アームを３６０°自由に回動ができるように支持する。これにより、口金部１２、支柱部１３、固定部１４、固定部の固定棒１４ｃおよびブラケット１６の支持穴１６ａが略直線をなす線状に配置される。
【００３８】
また、ブラケット１６の背面、図３（ａ）中、右側面部には、壁面Ａ等の被設置部にブラケット１６を設置するための平坦な面からなる設置面１６ｂを形成する。設置面には木ネジ等で支持するための複数個の取付孔１６ｃが形成されている。図中１６ｄは、正面、図３（ａ）中、左側面部に設けられたストッパー用のネジで、ネジ孔から上述したアーム１５の固定棒１４ｃに形成された凹部１４ｅに対してねじ込み、係合させて固定棒１４ｃの上方への抜け止めを行う。なお、ネジ１６ｄを外すことにより凹部１４ｅとの係合が解除され固定棒１４ｃ、すなわち、アーム１５を引き抜くことができる。
【００３９】
なお、制御部１１ｂの出力端子がリード線により光源であるＬＥＤ１１ａに接続され、制御部の入力端子には商用電源に接続される電線Ｃが接続される。電線Ｃは制御部の入力端子から灯具１１の雌ネジ部１１ｄ、口金部１２の雄ネジ部１２ｂの中空部、支柱部１３の中空部を介して固定部１４の中空部１４ａに導出され、固定部１４の側面に形成された挿通孔１４ｄから外部に引き出される（図２）。電線Ｃの先端には商用電源のコンセントに接続するためのプラグＰが接続される（図４）。
【００４０】
なお、制御部１１ｂの入力端子と電線Ｃとの間にはプッシュ式のスイッチＳＷが設けられ、灯具１１の上面からボタンを押すことにより点灯および消灯ができるように構成する。
【００４１】
次に、上記に構成されたベッド灯としての照明器具の作用につき説明する。まず、ブラケット１６を被設置部であるベッド頭部に近い壁面Ａに取り付ける。すなわち、ブラケット１６の縦穴からなる支持穴１６ａを上側にして、平坦な設置面１６ｂを壁面Ａに押し当て、木ネジを複数個の取付孔１６ｃに挿入して壁面Ａにねじ込み固定する（図１）。
【００４２】
この際、アーム１５は、全体として略同径をなし略直線をなす線状に構成され、特に固定部１４には、従来の特許文献１に示されるような関節部が支柱から側方に突出していない。また従来例の図６（ａ）（ｂ）に示されるような電源部２やフレキシブルチューブ１の下端部側方に形成した固定棒３´がない。このため、アーム１５の回動動作を妨げるものがなく、ベッド周辺の機材や物に当たりアームの回動が困難になることがなく、これにより、機材や物の存在に応じて設置場所を変更することなく、設置場所を自由に選択することができる。
【００４３】
次に、灯具１１が取り付けられたアーム１５の固定棒１４ｃをブラケット１６の縦穴からなる支持穴１６ａに差し込む。さらに、正面からストッパー用のネジ１６ｄをねじ込んで、固定棒１４ｃの凹部１４ｅに係合させ固定棒１４ｃの上方への抜け止めを行う。
【００４４】
この際、アーム１５は、全体として略同径をなし略直線をなす線状に構成され、特に固定部１４には、従来の特許文献１、また従来例の図６（ａ）（ｂ）に示されるようなアームの回動動作を妨げるものがなく、アーム１５は固定棒１４ｃを中心にして３６０°自由に回動ができるように支持される。
【００４５】
上記に設置された状態で電線ＣのプラグＰをコンセントに差し込み電線を介して制御部１１ｂに商用電源を供給する。この際、アーム１５は、全体として略同径をなし略直線をなす線状に構成され、固定部１４と壁面Ａとの間には十分な幅の間隔ａが形成される。このため、アーム１５の固定部１４の側面から引き出された電線Ｃが、アームを回動したときに電線が壁面との隙間に挟まれて引っ掛かることがなく回動を妨げることがない。
【００４６】
次に、灯具１１のスイッチＳＷをＯＮすることにより光源であるＬＥＤ１１ａが点灯する。この状態でアーム１５を握りフレキシブルチューブからなるアーム１５の支柱部１３を上下に自在に曲げて、上下方向の照明の位置を調整する。さらに、固定棒１４ｃを中心にして左右に回動させ左右方向の照明位置を調整する。これにより、使用者は所望する照明の位置を自在に調整し決めることができる。使用が終わり消灯するときはスイッチＳＷを押し電源をＯＦＦする。
【００４７】
なお、照明器具の修理、点検等の際には、ネジ１６ｄを外すことにより凹部１４ｅとの係合を解除し、ブラケット１６の支持穴１６ａから固定棒１４ｃを引き抜けば、灯具１１およびアーム１５を取り外すことができる（図４の状態）。
【００４８】
また、ブラケット１６を各ベッドに対応して設置しておけば、取り外した灯具１１およびアーム１５を、所望のベッドに移動したり、ベッド毎の灯具およびアームを交換することもできる。
【００４９】
本実施形態において、ブラケット１６を被設置部であるベッド頭部に近い壁面Ａ等に直接取り付けるもので構成したが、図５に示すように、コ字形をなすブラケット２０で構成し、被設置部である机等の卓板Ｂにコ字部分を挟み込み蝶ネジ２０ａで着脱ができるように取り付けるものであってもよい。
【００５０】
アーム１５の固定部１４は、固定棒１４ｃをブラケット１６の縦穴からなる支持穴１６ａに差し込んで回動できるように構成したが、ブラケットに球形をなす穴を形成し、アームの固定部に球形のボールを一体に形成し、この球形のボールをブラケットの球形の穴に嵌合して、所謂ボールジョイントを構成してもよい。
【００５１】
灯具１１の光源であるＬＥＤ１１ａを白色ＬＥＤで構成したが、使用態様に応じ、赤色、緑色、青色等で発光するＬＥＤで構成してもよい。若しくはこれらを混合するなど、複数個で構成してもよい。
【００５２】
本実施例の照明器具は、病院や医療福祉施設等のベッド灯として構成したが、一般家庭、オフィス、ホテル等の施設、業務用のベッド灯または電気スタンドなどの照明器具として構成してもよい。
【００５３】
以上、本実施形態によれば、光源１１ａを制御する制御部１１ｂを灯具１１に設けることにより、アーム１５は、全体として略同径をなし略直線をなす線状に構成され、固定部１４には、従来の特許文献１、また従来例の図６（ａ）（ｂ）に示されるようなアームの回動動作を妨げるものがない。
【００５４】
このため、アーム１５は固定棒１４ｃを中心にして３６０°自由に回動ができるように支持される。また、ベッド周辺の機材や物に当たり回動が困難になることがなく設置場所を自由に選択することができる。さらに、固定部１４と壁面Ａとの間には十分な幅の間隔ａが形成され、固定部１４の側面から引き出された電線Ｃが、アーム１５の回動時に引っ掛かることがなく回動を妨げることがない。
【００５５】
また、アーム１５の固定棒１４ｃは、全体として略同径をなし略直線をなす線状になるように固定部１４に一体に連続して形成したので、従来の図６（ｂ）に示されるように、フレキシブルチューブ１の下端部側方に別個の固定棒３´を形成することなく、部品点数が削減され、構造も簡素化されてコスト的にも有利な照明器具を提供することができる。さらに、別個の固定棒３´を設ける必要がないため、固定棒３´とブラケット４先端部との間隔寸法ｂによる制約を受けることがない。これにより、従来問題となっていた汎用性の低下を解消することができる。
【００５６】
また、アーム１５の固定棒１４ｃは、ブラケット１６の縦穴からなる支持穴１６ａの穴径で保持される単純な構成のため、例えば、壁面用や机用など多様なブラケットに対応することが可能となり、さらに汎用性に富んだ照明器具を提供することができる。
【００５７】
アーム１５の支柱部１３をフレキシブルチューブで構成したので、アームを全体として略同径をなし略直線をなす線状に容易に構成することができ、構造も簡易化され、さらに照明の方向を自由に変えることができる。
【００５８】
固定部１４の側面に中空部に連通し電線Ｃを挿通するための挿通孔１４ｄを形成したので、電線Ｃをアーム１５内に収納することができ、電線が側方に突出する量が少なくなって、アームの回動を妨げることが防止され、同時に電線をアーム内に収納することができるので、安全でかつ外観、意匠的に優れた照明器具を提供することができる。また、従来の図６（ｂ）のように、引き出された電線６がブラケット４の側方に突出していないので、回動を妨げる恐れがない。
【００５９】
灯具１１の光源として比較的の指向性の強いＬＥＤ１１ａを使用し、レンズ体および反射体により、スポット配光がなされるように構成したので、設置したベッドの人のみが必要な範囲で照明することができ、隣のベッドの人には光が届かず、就寝中の隣の患者などが眩しく感じることはない。同時に小型、軽量で、白熱電球のように発熱量が多くなく不快にならず、さらに省エネ形の照明器具を提供することができる。
【００６０】
以上、本発明の好適な実施形態を説明したが、本発明は上述の実施例に限定されることなく、本発明の要旨を逸脱しない範囲内において、種々の設計変更を行うことができる。
【図面の簡単な説明】
【００６１】
【図１】本発明の実施形態に係る照明器具を示し、（ａ）は一部を切り欠いて示す側面図、（ｂ）は灯具の光源を（ａ）の矢印方向から見た正面図。
【図２】同じく照明器具のアームを、一部を省略し一部を切り欠いて示す側面図。
【図３】同じく照明器具のブラケットにアームの固定部を差し込んだ状態を示し、（ａ）は一部を切り欠いて示す側面図、（ｂ）は正面図。
【図４】同じく照明器具を示す斜視図。
【図５】同じく照明器具の変形例を、一部を切り欠いて示す側面図。
【図６】従来の照明器具を示し、（ａ）は第一の従来例を、一部を切り欠いて示す側面図、（ｂ）は第二の従来例を、一部を切り欠いて示す側面図。
【符号の説明】
【００６２】
１０  照明器具
１１  灯具
１１ａ  光源
１１ｂ  制御部
１２  口金部
１３  支柱部
１４  固定部
１４ａ  中空部
１４ｄ  挿通孔
１５  アーム
Ａ    被設置部
【図１】
2009146638.tif 000003
【図２】
2009146638.tif 000004
【図３】
2009146638.tif 000005
【図４】
2009146638.tif 000006
【図５】
2009146638.tif 000007
【図６】
2009146638.tif 000008